(57)【要約】【課題】プロジェクタの向き／姿勢を調整することが可能であり、かつ、薄型化が容易なプロジェクタ天吊り装置を提供する。【解決手段】第１ベースプレート１００と、第１ベースプレート１００に対して回転自在に係止可能な第１中間プレート２００と、第１中間プレート２００に対して回転自在に係止可能な第２中間プレート３００と、第２中間プレート３００に対して回転自在に係止可能な第２ベースプレート４００とを備え、これらを重層して組み立てたとき、第１回転軸回りに第１中間プレート２００を回転することによりプロジェクタの向きをヨウ方向に調整可能であり、第２回転軸回りに第２中間プレート３００を回転することによりプロジェクタの向きをピッチ方向に調整可能であり、第３回転軸回りに第２ベースプレート４００を回転することによりプロジェクタの姿勢をロール方向に調整可能であるプロジェクタ天吊り装置。【選択図】図１
2010079155.tif 000002
【特許請求の範囲】
【請求項１】
プロジェクタ天吊り装置であって、
第１ベースプレートと、
前記第１ベースプレートの主面に直交する第１回転軸を有する第１回転軸部材を用いて前記第１ベースプレートに対して回転自在に係止可能な第１中間プレートと、
前記第１回転軸に直交し、かつ、前記第１中間プレートの主面に平行な第２回転軸を有する第２回転軸部材を用いて前記第１中間プレートに対して回転自在に係止可能な第２中間プレートと、
前記第２回転軸に直交し、かつ、前記第２中間プレートの主面に平行な第３回転軸を有する第３回転軸部材を用いて前記第２中間プレートに対して回転自在に係止可能な第２ベースプレートとを備え、
前記第１回転軸部材、前記第２回転軸部材及び前記第３回転軸部材を用いて前記第１ベースプレート、前記第１中間プレート、前記第２中間プレート及び前記第２ベースプレートをこの順序で重層して組み立てられたとき、
前記第１回転軸回りに前記第１中間プレートを回転することによりプロジェクタの向きをヨウ方向に調整可能であり、
前記第２回転軸回りに前記第２中間プレートを回転することによりプロジェクタの向きをピッチ方向に調整可能であり、
前記第３回転軸回りに前記第２ベースプレートを回転することによりプロジェクタの姿勢をロール方向に調整可能であることを特徴とするプロジェクタ天吊り装置。
【請求項２】
請求項１に記載のプロジェクタ天吊り装置において、
前記第１中間プレートと当接する当接部及び操作部を有し、前記第１回転軸部材を用いて前記中間プレートに対して揺動自在に係止可能なロックレバーをさらに備え、
前記第１中間プレートにおける前記ロックレバーとの当接面には、前記ロックレバーの揺動方向に沿って徐々に起伏量が変化するロック用起伏部が形成され、
前記第１ベースプレートと前記第１中間プレートとの相対的な回転位置を所望の回転位置に調整した状態で、前記ロックレバーを揺動して前記ロックレバーの前記当接部を前記第１中間プレートの前記ロック用起伏部に強く当接させることにより、前記第１ベースプレートと前記第１中間プレートとの相対的な回転位置を所望の回転位置に固定可能であることを特徴とするプロジェクタ天吊り装置。
【請求項３】
請求項１又は２に記載のプロジェクタ天吊り装置において、
前記第１中間プレートは、前記第２回転軸部材を受けるための第１軸受けタブ及び第２軸受けタブと、前記第１中間プレートと前記第２中間プレートとの相対的な回転位置を調整するために用いる第１起立部及び第２起立部とを有し、
前記第２中間プレートは、前記第２回転軸部材を受けるための第３軸受けタブ及び第４軸受けタブと、前記第１中間プレートと前記第２中間プレートとの相対的な回転位置を調整するために用いる第３起立部及び第４起立部とを有し、
前記第１起立部及び前記第２起立部にはそれぞれ、互いに平行で、かつ、長軸方向が前記第１中間プレートの主面との間で第１角度をなす第１長孔及び第２長孔が形成され、
前記第３起立部及び前記第４起立部にはそれぞれ、互いに平行で、かつ、長軸方向が前記第２中間プレートの主面との間で前記第１角度とは異なる第２角度をなす第３長孔及び第４長孔が形成され、
前記第１長孔と前記第３長孔とに第１ロックネジを通し、前記第２長孔と前記第４長孔とに第２ロックネジを通すとともに、前記第１中間プレートと前記第２中間プレートとの相対的な回転位置を所望の回転位置に調整した状態で、前記第１ロックネジ及び前記第２ロックネジのそれぞれにロックナットを締め込むことにより、前記第１中間プレートと前記第２中間プレートとの相対的な回転位置を所望の回転位置に固定可能であることを特徴とするプロジェクタ天吊り装置。
【請求項４】
請求項１〜３のいずれかに記載のプロジェクタ天吊り装置において、
前記第２ベースプレートには、前記第３回転軸部材を受けるための第５軸受けタブ及び第６軸受けタブが形成され、
前記第２中間プレートには、前記第３回転軸部材を受けるための凹部が形成され、
前記第３回転軸部材を、前記凹部に当接させるとともに、前記第５軸受タブ及び前記第６軸受タブに軸支させ、前記第２中間プレートと前記第２ベースプレートとの相対的な回転位置を所望の回転位置に調整した状態で、前記第３回転軸部材の少なくとも一方の端部に軸止めネジを締め込むことにより、前記第２中間プレートと前記ベースプレートとの相対的な回転位置を所望の回転位置に固定可能であることを特徴とするプロジェクタ天吊り装置。
【請求項５】
請求項１〜４のいずれかに記載のプロジェクタ天吊り装置において、
前記第１長孔及び前記第２長孔は、前記第１中間プレートの主面から遠い側の内面が鋸歯状に加工されていることを特徴とするプロジェクタ天吊り装置。
【請求項６】
請求項５に記載のプロジェクタ天吊り装置において、
前記第１ロックネジ及び前記第２ロックネジの基部は、空転防止のための多角柱の形状となっていることを特徴とするプロジェクタ天吊り装置。
【請求項７】
請求項１〜６のいずれかに記載のプロジェクタ天吊り装置において、
前記第１ベースプレート、前記第１中間プレート、前記第２中間プレート及び前記第２ベースプレートは、それぞれ１枚の金属板を加工して形成されてなることを特徴とするプロジェクタ天吊り装置。
【発明の詳細な説明】
【技術分野】
【０００１】
本発明は、プロジェクタ天吊り装置に関する。
【背景技術】
【０００２】
従来、プロジェクタを天井から吊り下げるためのプロジェクタ天吊り装置として、ボールジョイント機構からなる向き／姿勢調整装置を備えるプロジェクタ天吊り装置が知られている（例えば、特許文献１参照。）。
【０００３】
従来のプロジェクタ天吊り装置によれば、ボールジョイント機構からなる向き／姿勢調整装置を備えるため、プロジェクタの向き及び姿勢を調整することが可能となる。
【０００４】
なお、この明細書において「プロジェクタの向き／姿勢を調整する」とは、プロジェクタをヨウ方向、ピッチ方向及びロール方向に調整することを意味する。ここで、ヨウ方向とはプロジェクタの光軸を左右に振る方向、ピッチ方向とはプロジェクタの光軸を上下に振る方向、ロール方向とはプロジェクタを光軸を中心として回転する方向を意味する。
【０００５】
【特許文献１】特開２００２−７２３５２号公報
【発明の開示】
【発明が解決しようとする課題】
【０００６】
ところで、近年の天吊り型のプロジェクタにおいては、プロジェクタ天吊り装置を薄型化することにより、プロジェクタをなるべく天井に近接させて設置したいという要望がある。プロジェクタを天井に近接させて設置すれば、室内空間が広く使えるばかりでなく、設置のための機構が目に入りにくくなる、という美感上の利点があるからである。
【０００７】
しかしながら、従来のボールジョイント機構を用いた調整機構においては、ボールジョイント機構はもとより、ボールジョイント機構と天井とを接続する機構、又はボールジョイント機構とプロジェクタとを接続する機構の厚さが厚くなるため、プロジェクタ天吊り装置の薄型化が困難であるという問題があった。
【０００８】
そこで、本発明は、上記のような問題を解決するためになされたもので、プロジェクタの向き／姿勢を調整することが可能であり、かつ、薄型化が容易なプロジェクタ天吊り装置を提供することを目的とする。
【課題を解決するための手段】
【０００９】
本発明の発明者は、以下に示すように、４つのプレート状部材を重層して組み立てることにより、プロジェクタ天吊り装置の薄型化を実現した。
【００１０】
本発明のプロジェクタ天吊り装置は、第１ベースプレートと、前記第１ベースプレートの主面に直交する第１回転軸を有する第１回転軸部材を用いて前記第１ベースプレートに対して回転自在に係止可能な第１中間プレートと、前記第１回転軸に直交し、かつ、前記第１中間プレートの主面に平行な第２回転軸を有する第２回転軸部材を用いて前記第１中間プレートに対して回転自在に係止可能な第２中間プレートと、前記第２回転軸に直交し、かつ、前記第２中間プレートの主面に平行な第３回転軸を有する第３回転軸部材を用いて前記第２中間プレートに対して回転自在に係止可能な第２ベースプレートとを備え、前記第１回転軸部材、前記第２回転軸部材及び前記第３回転軸部材を用いて前記第１ベースプレート、前記第１中間プレート、前記第２中間プレート及び前記第２ベースプレートをこの順序で重層して組み立てたとき、前記第１回転軸回りに前記第１中間プレートを回転することによりプロジェクタの向きをヨウ方向に調整可能であり、前記第２回転軸回りに前記第２中間プレートを回転することによりプロジェクタの向きをピッチ方向に調整可能であり、前記第３回転軸回りに前記第２ベースプレートを回転することによりプロジェクタの姿勢をロール方向に調整可能であることを特徴とする。
【００１１】
このため、本発明のプロジェクタ天吊り装置によれば、プロジェクタのヨウ方向、ピッチ方向及びロール方向に関する調整を、第１回転軸部材、第２回転軸部材及び第３回転軸部材を用いて、第１ベースプレート、第１中間プレート、第２中間プレート及び第２ベースプレートを回転自在に係止して組み立てることにより、プロジェクタの向き／姿勢の調整が可能になる。
【００１２】
また、本発明のプロジェクタ天吊り装置によれば、第１ベースプレート、第１中間プレート、第２中間プレート及び第２ベースプレートの４つのプレートを重層して組み立てることにより、薄型化が容易になる。
【００１３】
また、本発明のプロジェクタ天吊り装置によれば、ボールジョイント機構を用いる必要がないため、比較的安価なプロジェクタ天吊り装置が実現する。
【００１４】
本発明のプロジェクタ天吊り装置においては、前記第１中間プレートと当接する当接部及び操作部を有し、前記第１回転軸部材を用いて前記中間プレートに対して揺動自在に係止可能なロックレバーをさらに備え、前記第１中間プレートにおける前記ロックレバーとの当接面には、前記ロックレバーの揺動方向に沿って徐々に起伏量が変化するロック用起伏部が形成され、前記第１ベースプレートと前記第１中間プレートとの相対的な回転位置を所望の回転位置に調整した状態で、前記ロックレバーを揺動して前記ロックレバーの前記当接部を前記第１中間プレートの前記ロック用起伏部に強く当接させることにより、前記第１ベースプレートと前記第１中間プレートとの相対的な回転位置を所望の回転位置に固定可能であることが好ましい。
【００１５】
このように構成することにより、プロジェクタの向きをヨウ方向に調整した後、ロックレバーを揺動してロックレバーの当接部を第１中間プレートのロック用起伏部に強く当接させることとすれば、プロジェクタの向きを所望の回転位置に固定することが可能となる。なお、本明細書において、揺動とは物体を１８０度未満の角度において回転することをいう。
【００１６】
本発明のプロジェクタ天吊り装置においては、前記第１中間プレートは、前記第２回転軸部材を受けるための第１軸受けタブ及び第２軸受けタブと、前記第１中間プレートと前記第２中間プレートとの相対的な回転位置を調整するために用いる第１起立部及び第２起立部とを有し、前記第２中間プレートは、前記第２回転軸部材を受けるための第３軸受けタブ及び第４軸受けタブと、前記第１中間プレートと前記第２中間プレートとの相対的な回転位置を調整するために用いる第３起立部及び第４起立部とを有し、前記第１起立部及び前記第２起立部にはそれぞれ、互いに平行で、かつ、長軸方向が前記第１中間プレートの主面との間で第１角度をなす第１長孔及び第２長孔が形成され、前記第３起立部及び前記第４起立部にはそれぞれ、互いに平行で、かつ、長軸方向が前記第２中間プレートの主面との間で前記第１角度とは異なる第２角度をなす第３長孔及び第４長孔が形成され、前記第１長孔と前記第３長孔とに第１ロックネジを通し、前記第２長孔と前記第４長孔とに第２ロックネジを通すとともに、前記第１中間プレートと前記第２中間プレートとの相対的な回転位置を所望の回転位置に調整した状態で、前記第１ロックネジ及び前記第２ロックネジのそれぞれにロックナットを締め込むことにより、前記第１中間プレートと前記第２中間プレートとの相対的な回転位置を所望の回転位置に固定可能であることが好ましい。
【００１７】
このように構成することにより、第１ロックネジ及び第２ロックネジを第１長孔及び第２長孔に通し、これらのロックネジを各長孔の長軸に沿ってスライドさせて第１中間プレートと第２中間プレートとを相対的に回転して、プロジェクタの向きをピッチ方向に調整することが可能となる。
【００１８】
また、プロジェクタの向きをピッチ方向に調整した後、第１ロックネジ及び第２ロックネジにそれぞれロックナットを締め込むことによりこれらのロックネジを各長孔に固定し、プロジェクタの向きを所望の回転位置に固定することが可能となる。
【００１９】
本発明のプロジェクタ天吊り装置においては、前記第２ベースプレートには、前記第３回転軸部材を受けるための第５軸受けタブ及び第６軸受けタブが形成され、前記第２中間プレートには、前記第３回転軸部材を受けるための凹部が形成され、前記第３回転軸部材を、前記凹部に当接させるとともに、前記第５軸受タブ及び前記第６軸受タブに軸支させ、前記第２中間プレートと前記第２ベースプレートとの相対的な回転位置を所望の回転位置に調整した状態で、前記第３回転軸部材の少なくとも一方の端部に軸止めネジを締め込むことにより、前記第２中間プレートと前記ベースプレートとの相対的な回転位置を所望の回転位置に固定可能であることが好ましい。
【００２０】
このように構成することにより、プロジェクタの向きをロール方向に調整した後、第３回転軸部材の軸端部に軸止めネジを強く締め込んで第２ベースプレートと第２中間プレートとの相対的な回転位置を固定することにより、プロジェクタの向きを所望の回転位置に固定することが可能となる。
【００２１】
本発明のプロジェクタ天吊り装置においては、前記第１長孔及び前記第２長孔は、前記第１中間プレートの主面から遠い側の内面が鋸歯状に加工されていることが好ましい。
【００２２】
このように構成することにより、プロジェクタのピッチ方向の調整作業中においても第１ロックネジ及び第２ロックネジを鋸歯の谷に安定的に留めることができる。その結果、第２中間プレートを第１中間プレートに対して所望の角度に留めておくことができ、プロジェクタの向きをピッチ方向に容易に調整する作業が容易になる。
【００２３】
本発明のプロジェクタ天吊り装置においては、前記第１ロックネジ及び前記第２ロックネジの基部は、空転防止のための多角柱の形状となっていることが好ましい。
【００２４】
このように構成することにより、各ロックネジがそれぞれの長孔の中で空回りすることを阻止でき、これらのロックネジをネジ締めする作業が容易になる。
【００２５】
本発明のプロジェクタ天吊り装置においては、第１ベースプレート、第１中間プレート、第２中間プレート及び第２ベースプレートは、それぞれ１枚の金属板を加工して形成されてなることが好ましい。
【００２６】
このように構成することにより、比較的安価なプロジェクタ天吊り装置が実現される。
【発明を実施するための最良の形態】
【００２７】
以下、本発明のプロジェクタ天吊り装置について、図に示す実施の形態に基づいて説明する。
【００２８】
［実施形態］
図１は、実施形態に係るプロジェクタ天吊り装置１０の全体斜視図である。
図２は、実施形態に係るプロジェクタ天吊り装置１０の分解斜視図である。
図３は、実施形態に係るプロジェクタ天吊り装置１０を説明するために示す図である。図３（ａ）はプロジェクタ天吊り装置１０の正面図であり、図３（ｂ）はプロジェクタ天吊り装置１０の図３（ａ）におけるＡ−Ａ断面図である。
【００２９】
図４は、実施形態に係るプロジェクタ天吊り装置１０の上部ユニット５１２を説明するために示す図である。図４（ａ）は上部ユニット５１２の分解斜視図であり、図４（ｂ）及び図４（ｃ）は上部ユニット５１２の組み立て斜視図である。但し、図４（ｂ）と図４（ｃ）ではロックレバー５７０の揺動位置が異なる。
図５は、実施形態に係るプロジェクタ天吊り装置１０の下部ユニット５１４を説明するために示す図である。図５（ａ）は下部ユニット５１４の分解斜視図であり、図５（ｂ）は下部ユニット５１４の組み立て斜視図である。
【００３０】
図６は、実施形態に係るプロジェクタ天吊り装置１０を説明するために示す図である。図６（ａ）は上部ユニット５１２と下部ユニット５１４とを組み立てる前の状態を示す斜視図であり、図６（ｂ）は上部ユニット５１２と下部ユニット５１４とを組み立てた後の状態を示す斜視図であり、図６（ｃ）はプロジェクタ天吊り装置１０を、図６（ｂ）に示す状態からピッチ方向に回転した状態を示す斜視図である。
図７は、実施形態に係るプロジェクタ天吊り装置１０の調整・固定方法を説明するために示す図である。図７（ａ）はプロジェクタ天吊り装置１０にプロジェクタＰを取り付けた状態の前面斜視図であり、図７（ｂ）は背面斜視図である。
【００３１】
実施形態に係るプロジェクタ天吊り装置１０は、図１及び図２に示すように、第１ベースプレート１００と、第１ベースプレートの主面１１２に直交する第１回転軸を有する第１回転軸部材５２０を用いて第１ベースプレート１００に対して回転自在に係止可能な第１中間プレート２００と、第１回転軸に直交し、かつ、第１中間プレートの主面２１２に平行な第２回転軸を有する第２回転軸部材５３０を用いて第１中間プレート２００に対して回転自在に係止可能な第２中間プレート３００と、第２回転軸に直交し、かつ、第２中間プレートの主面３１２に平行な第３回転軸を有する第３回転軸部材５４０を用いて第２中間プレート３００に対して回転自在に係止可能な第２ベースプレート４００とを備える。
【００３２】
また、実施形態に係るプロジェクタ天吊り装置１０は、第１回転軸部材５２０、第２回転軸部材５３０及び第３回転軸部材５４０を用いて第１ベースプレート１００、第１中間プレート２００、第２中間プレート３００及び第２ベースプレート４００をこの順序で重層して組み立てたとき、第１回転軸回りに第１中間プレート２００を回転することによりプロジェクタＰの向きをヨウ方向に調整可能であり、第２回転軸回りに第２中間プレート３００を回転することによりプロジェクタＰの向きをピッチ方向に調整可能であり、第３回転軸回りに第２ベースプレート３００を回転することによりプロジェクタＰの姿勢をロール方向に調整可能である（図７参照。）。
【００３３】
また、実施形態に係るプロジェクタ天吊り装置１０は、第１中間プレート２００と当接する当接部５７６及び操作部５７４を有し、第１回転軸部材５２０を用いて第１中間プレート２００に対して揺動自在に係止可能なロックレバー５７０をさらに備え、第１中間プレート２００におけるロックレバー５７０との当接面には、ロックレバー５７０の揺動方向に沿って徐々に起伏量が変化するロック用起伏部２５０が形成され、第１ベースプレート１００と第１中間プレート２００との相対的な回転位置を所望の回転位置に調整した状態で、ロックレバー５７０を揺動してロックレバー５７０の当接部５７６を第１中間プレート２００のロック用起伏部２５０に強く当接させることにより、第１ベースプレート１００と第１中間プレート２００との相対的な回転位置を所望の回転位置に固定可能である。
【００３４】
実施形態に係るプロジェクタ天吊り装置１０においては、図２に示すように、第１中間プレート２００は、第２回転軸部材５３０を受けるための第１軸受けタブ２３２及び第２軸受けタブ２３６と、第１中間プレート２００と第２中間プレート３００との相対的な回転位置を調整するために用いる第１起立部２２２及び第２起立部２２６とを有する。第２中間プレート３００は、第２回転軸部材５３０を受けるための第３軸受けタブ３３２及び第４軸受けタブ３３６と、第１中間プレート２００と第２中間プレート３００との相対的な回転位置を調整するために用いる第３起立部３２２及び第４起立部３２６とを有する。
【００３５】
さらに、第１起立部２２２及び第２起立部２２６にはそれぞれ、互いに平行で、かつ、長軸方向が第１中間プレート２００の主面２１２と平行する第１長孔２２４及び第２長孔２２８が形成され、第３起立部３２２及び第４起立部３２６にはそれぞれ、互いに平行で、かつ、長軸方向が第２中間プレート３００の主面３１２と２０度の角度をなす第３長孔３２４及び第４長孔３２８が形成されている。
【００３６】
なお、第１長孔２２４の長軸及び第２長孔２２８の長軸と、第３長孔３２４の長軸及び第４長孔３２８の長軸とのなす角度を２０度として説明したが、この角度は２０度に限定されるものではなく、調整の容易さの観点から５度〜４５度の範囲において適宜設定することができる。また、第１長孔２２４の長軸及び第２長孔２２８の長軸の方向は、第１中間プレートの主面２１２に対して平行であるとしたが、傾斜していてもかまわない。
【００３７】
実施形態に係るプロジェクタ天吊り装置１０においては、第１長孔２２４と第３長孔３２４とに第１ロックネジ５５２を通し、第２長孔２２９と第４長孔３２８とに第２ロックネジ５５４を通すとともに、第１中間プレート２００と第２中間プレート３００との相対的な回転位置を所望の回転位置に調整した状態で、第１ロックネジ５５２及び第２ロックネジ５５４のそれぞれにロックナット５５０を締め込むことにより、第１中間プレート２００と第２中間プレート３００との相対的な回転位置を所望の回転位置に固定可能である。
【００３８】
実施形態に係るプロジェクタ天吊り装置１０においては、第２ベースプレート４００には、図２及び図５に示すように、第３回転軸部材５４０を受けるための第５軸受けタブ４２２及び第６軸受けタブ４２６が形成され、第２中間プレート３００には、第３回転軸部材５４０を受けるための凹部３１４が形成され、第３回転軸部材５４０を、凹部３１４に当接させるとともに、第５軸受タブ４２２及び第６軸受タブ４２６に軸支させ、第２中間プレート３００と第２ベースプレート４００との相対的な回転位置を所望の回転位置に調整した状態で、第３回転軸部材５４０の少なくとも一方の端部に軸止めネジ５４２を締め込むことにより、第２中間プレート３００とベースプレート４００との相対的な回転位置を所望の回転位置に固定可能である。
【００３９】
なお、第３回転軸部材５４０が２個所の凹部３１４と当接する個所にはそれぞれスリーブ５６０を装着する。
【００４０】
実施形態に係るプロジェクタ天吊り装置１０においては、図３に示すように、第１ベースプレート１００と第２ベースプレート４００とが平行になるように組み立てたときの、第１ベースプレート１００の第２ベースプレート４００から遠い面と、第２ベースプレート４００の第１ベースプレート１００から遠い面との間の距離Ｔが４０ｍｍであり、ロックレバー５７０の操作部側終端部と第１回転軸部材５２０を挿入するために設けられたレバー軸孔５７２の中心との距離Ｄ１は１８０ｍｍであり、第１起立部２２２と第２起立部２２６との間隔Ｄ２は２８０ｍｍであり、第５軸受けタブ４２２と第６軸受けタブ４２６との間隔Ｄ３は１６０ｍｍである。
【００４１】
実施形態に係るプロジェクタ天吊り装置１０においては、図２に示すように、第１長孔２２４及び第２長孔２２８の、第１中間プレートの主面２１２から遠い側の内面が、歯の数が６の鋸歯状に加工されている。
【００４２】
実施形態に係るプロジェクタ天吊り装置１０は、図２に示すように、第１ロックネジ５５２の基部５５３及び第２ロックネジ５５４の基部５５５は、空転防止のための多角柱の形状となっている。
【００４３】
実施形態に係るプロジェクタ天吊り装置１０は、第１ベースプレート１００、第１中間プレート２００、第２中間プレート３００及び第２ベースプレート４００は、それぞれ１枚の金属板を加工して形成されている。
【００４４】
実施形態に係るプロジェクタ天吊り装置１０を用いてプロジェクタＰを天井に吊り下げて設置する手順は以下の通りである。
【００４５】
１．上部ユニット５１２の準備
まず、図４（ａ）に示すように、第１軸孔１２２、第２軸孔２４０及びレバー軸孔５７２に第１回転軸部材５２０を貫通させ、さらに第１回転軸部材５２０の一端にロックナット５２２を止めることにより、第１ベースプレート１００、第１中間プレート２００及びロックレバー５７０を第１回転軸回りに回転自在に係止する。
【００４６】
このように係止した後は、第１隆起部１２０と円形凹部２１６とは嵌合するため、第１中間プレート２００は第１ベースプレート１００に対して第１回転軸周りに安定的に回転する。
【００４７】
以上、第１回転軸部材５２０で係止された上記部材の集合体を、上部ユニット５１２と呼ぶ（図４（ｂ）参照。）。
【００４８】
上部ユニット５１２において、ロックレバー５７０を所定位置（以降、ロック位置と呼ぶ。）まで揺動してロックレバー５７０の当接部５７６をロック用起伏部２５０に強く当接させることにより、第１ベースプレート１００と第１中間プレート２００との相対的な回転位置を所望の回転位置に固定することができる（図４（ｃ）参照。）。
【００４９】
第１ベースプレート１００に設けたネジ用長孔１３０は、例えば木ネジ（図示せず。）を通して上部ユニット５１２を天井（図示せず。）に固定するために用いられる。
【００５０】
２．下部ユニット５１４の準備
次に、図５（ａ）に示すように、第３回転軸部材５４０を第５軸受タブ４２２に設けた第５軸受孔４２４と第６軸受タブ４２６に設けた第６軸受孔４２８とに通すとともに、第３回転軸部材５４０を凹部３１４に当接させ、さらに、軸止めネジ５４２を第３回転軸部材５４０の端部に止める。これにより、第２中間プレート３００を第２ベースプレート４００に対して第３回転軸回りに回転可能に係止することができる。
【００５１】
以上、第３回転軸部材５４０で係止されたこれら部材の集合体を、下部ユニット５１４と呼ぶ（図５（ｂ）参照。）。
【００５２】
第２ベースプレート４００に設けたネジ用丸孔４１４は、例えばネジ（図示せず。）を通して下部ユニット５１４をプロジェクタＰ（図示せず。）の取り付け面に固定するために用いられる。
【００５３】
３．上部ユニット５１２と下部ユニット５１４との結合
次に、図６（ａ）に示すように、下部ユニット５１４を取り付けたプロジェクタＰ（図示せず。）を持ち上げ、下部ユニット５１４を、あらかじめ天井（図示せず。）に固定しておいた上部ユニット５１２に近づける。
【００５４】
この状態で、第１軸受孔２３４を第３軸受孔３３４に、第２軸受孔２３８を第４軸受孔３３８にそれぞれ近接させ、これら４個の軸受孔に第２回転軸部材５３０を通し、さらに軸止めネジ５３２を第２回転軸部材５３０の端部に止める。これにより、第２中間プレート３００は第１中間プレート２００に対して第２回転軸回りに回転可能に係止される。
【００５５】
次に、図６（ｂ）に示すように、第１長孔２２４を第３長孔３２４に、第２長孔２２８を第４長孔３２８にそれぞれ近接させ、第１ロックネジ５５２を第１長孔２２４と第３長孔３２４に、第２ロックネジ５５４を第２長孔２２８と第４長孔３２８に、それぞれ通す。
【００５６】
次に、図６（ｃ）に示すように、各ロックネジを各長孔の長軸に沿ってスライドして第１中間プレート２００を第２中間プレート３００に対して回転させる。これによりプロジェクタの向きをピッチ方向に調整することが可能となる。
【００５７】
３．上部ユニット５１２と下部ユニット５１４との結合
４．プロジェクタＰの方向／姿勢の調整・固定
次に、プロジェクタＰを起動してスクリーンに映像を投影し、プロジェクタＰの方向／姿勢を調整する。以下、その手順を図７を用いて説明する。
【００５８】
図７に示すように、プロジェクタＰを第１回転軸回りに回転することによりプロジェクタＰの向きをヨウ方向Ｙに調整する。所望の回転位置に調整した後、ロックレバー５７０をロック位置に強く揺動する。これにより第１ベースプレート１００と第１中間プレート２００とは相互の回転が規制され、結果としてプロジェクタＰのヨウ方向の回転位置が固定される。
【００５９】
次に、各ロックネジを各長孔に沿ってスライドさせることによりプロジェクタＰを第２回転軸回りに回転し、プロジェクタＰの向きをピッチ方向Ｐｉに調整する。このとき、各ロックネジは鋸歯２６０のいずれかの歯の間に嵌合することになる。プロジェクタＰの向きを所望の回転位置に調整した後、各ロックネジ５５２，５５４にそれぞれロックナット５５０を締め込む。これにより各ロックネジ５５２，５５４は各長孔の中で固定され、第１中間プレート２００と第２中間プレート３００との相互の回転を規制して、結果としてプロジェクタＰのピッチ方向の回転位置を固定することができる。
【００６０】
ここで、各ロックネジは鋸歯２６０のいずれかの歯の間においてのみ嵌合可能なので、プロジェクタＰの固定可能な回転位置は非連続的になる。しかしながら、ピッチ方向における微細な調整はプロジェクタＰの光学的調整機能で実施可能であるため、固定可能な回転位置が非連続的であっても何ら問題とはならない。
【００６１】
次に、プロジェクタＰを第３回転軸回りに回転することによりプロジェクタＰの向きをロール方向Ｒに調整する。所望の回転位置に調整した後、軸止めネジ５４２を第３回転軸部材５４０の端部に締め込むことによりスリーブ５６０を第５軸受けタブ４２２及び第６軸受けタブ４２６に強く当接させる。これにより第２中間プレート３００と第２ベースプレート４００とは相互の回転が規制され、結果としてプロジェクタＰのロール方向の回転位置が固定される。
【００６２】
このような手順により、プロジェクタＰを正しい向き及び姿勢で天井から吊り下げて設置することができる。
【００６３】
以上のように構成された実施形態に係るプロジェクタ天吊り装置１０によれば、プロジェクタＰのヨウ方向、ピッチ方向及びロール方向に関する調整を、第１回転軸部材５２０、第２回転軸部材５３０及び第３回転軸部材５４０を用いて、第１ベースプレート１００、第１中間プレート２００、第２中間プレート３００及び第２ベースプレート４００を回転自在に係止して組み立てることにより、プロジェクタＰの向き／姿勢の調整が可能になる。
【００６４】
また、実施形態に係るプロジェクタ天吊り装置１０によれば、第１ベースプレート１００、第１中間プレート２００、第２中間プレート３００及び第２ベースプレート４００の４つのプレートを重層して組み立てることにより、薄型化が容易になる。
【００６５】
また、実施形態に係るプロジェクタ天吊り装置１０によれば、ボールジョイント機構を用いる必要がないため、比較的安価なプロジェクタ天吊り装置が実現する。
【００６６】
また、実施形態に係るプロジェクタ天吊り装置１０によれば、プロジェクタの向きをヨウ方向に調整した後、ロックレバー５７０を揺動してロックレバー５７０の当接部５７６を第１中間プレート２００のロック用起伏部２５０に強く当接させることにより、プロジェクタＰの向きを所望の回転位置に固定することが可能となる。
【００６７】
また、実施形態に係るプロジェクタ天吊り装置１０によれば、第１ロックネジ５５２及び第２ロックネジ５５４を第１長孔２２４及び第２長孔２２８に通し、これらのロックネジ５５２，５５４を各長孔の長軸に沿ってスライドさせて第１中間プレート２００と第２中間プレート３００とを相対的に回転して、プロジェクタＰの向きをピッチ方向に調整することが可能となる。
【００６８】
また、実施形態に係るプロジェクタ天吊り装置１０によれば、プロジェクタＰの向きをピッチ方向に調整した後、第１ロックネジ５５２及び第２ロックネジ５５４にそれぞれロックナット５５０を締め込むことによりこれらのロックネジを各長孔に固定し、プロジェクタＰの向きを所望の回転位置に固定することが可能となる。
【００６９】
また、実施形態に係るプロジェクタ天吊り装置１０によれば、プロジェクタＰの向きをロール方向に調整した後、第３回転軸部材５４０の軸端部に軸止めネジ５４２を強く締め込んで第２ベースプレート４００と第２中間プレート３００との相対的な回転位置を固定することにより、プロジェクタＰの向きを所望の回転位置に固定することが可能となる。
【００７０】
また、実施形態に係るプロジェクタ天吊り装置１０によれば、作業者は、第１回転軸部材５２０から遠く離れた位置で、プロジェクタＰの存在に煩わされることなく、ロックレバー５７０を揺動する作業及びロックナット５５０や軸止めネジ５３２，５４２を締め込む作業を実施できる。
【００７１】
また、実施形態に係るプロジェクタ天吊り装置１０によれば、プロジェクタのピッチ方向の調整作業中においても第１ロックネジ５５２及び第２ロックネジ５５４を鋸歯２６０の谷に安定的に留めることができる。その結果、第２中間プレート３００を第１中間プレート２００に対して所望の角度に留めておくことができ、プロジェクタＰの向きをピッチ方向に容易に調整する作業が容易になる。
【００７２】
また、実施形態に係るプロジェクタ天吊り装置１０によれば、鋸歯状に加工された歯の数が６であるため、必要十分な分解能で第２中間プレート３００を角度調整することができ、プロジェクタＰの向きをピッチ方向にさらに容易に調整可能となる。
【００７３】
また、実施形態に係るプロジェクタ天吊り装置１０によれば、各ロックネジ５５２，５５４の基部５５３，５５５は、空転防止のための多角柱の形状となっているため、各ロックネジ５５２，５５４がそれぞれの長孔の中で空回りすることを阻止でき、これらのロックネジ５５２，５５４にロックナット５５０締める作業が容易になる。
【００７４】
また、実施形態に係るプロジェクタ天吊り装置１０によれば、このように第１ベースプレート１００、第１中間プレート２００、第２中間プレート３００及び第２ベースプレート４００を金属板を加工することにより形成されてなるため、比較的安価なプロジェクタ天吊り装置１０が実現される。
【００７５】
以上、本発明のプロジェクタ天吊り装置を実施形態に基づいて説明したが、本発明は上記の実施形態に限られるものではなく、その要旨を逸脱しない範囲において種々の態様において実施することが可能であり、例えば次のような変形も可能である。
【００７６】
上記実施形態においては、第１ベースプレート１００を天井に固定し、第２ベースプレート４００をプロジェクタＰに固定して用いているが、本発明はこれに限定されるものではない。本装置を上下に１８０度転回して、第２ベースプレートを天井に固定し、第１ベースプレートをプロジェクタＰに固定して用いてもかまわない。このように上下に１８０度転回して組み立てる場合には、図２において符号２６０として示した鋸歯は、第１長孔及び第２長孔の第１ベースプレートの主面に近い方の内面に設けることが好ましい。また、図２において符号３１４として示した凹部は、凹部の形成方向を上下に反転することが好ましい。
【００７７】
上記実施形態においては、第２回転軸部材及び第３回転軸部材を固定するためには軸止めネジを締めて固定するものとし、第１ロックネジ、第２ロックネジ及び第１回転軸部材を固定するためにはロックナットを締めて固定するものとして説明した。しかしながら、軸の「抜け防止」又は「軸方向に付圧することによる回転防止」の目的には、軸止めネジ又はロックナットを締め込む以外にもさまざまな手段がある。例えば、軸部材の一端に軸方向に雌ネジを切っておき、当該雌ネジにツバ付きの雄ねじをネジ止めすることとしてもよい。
【００７８】
なお、本発明に係るプロジェクタ天吊り装置の工場出荷形態としては、上部ユニット５１２及び下部ユニット５１４がそれぞれ組み立てられた状態であることが好ましい。しかしながら、これらのユニット５１２，５１４を組み立てる前の、主要構成部品の集合体（いわゆるキット。）として出荷することも可能である。また、上部ユニット５１２と下部ユニット５１４とを結合した状態で出荷することももちろん可能である。その場合、作業者は、本プロジェクタ天吊り装置を、上部ユニット５１２と下部ユニット５１４とに分離した後、手順に従って設置作業を開始する。
【図面の簡単な説明】
【００７９】
【図１】実施形態に係るプロジェクタ天吊り装置１０の全体斜視図。
【図２】実施形態に係るプロジェクタ天吊り装置１０を説明するために示す図。
【図３】実施形態に係るプロジェクタ天吊り装置１０を説明するために示す図。
【図４】実施形態に係るプロジェクタ天吊り装置１０の上部ユニット５１２を説明するために示す図。
【図５】実施形態に係るプロジェクタ天吊り装置１０の下部ユニット５１４を説明するために示す図。
【図６】実施形態に係るプロジェクタ天吊り装置１０を説明するために示す図。
【図７】実施形態に係るプロジェクタ天吊り装置１０の調整・固定方法を示す斜視図。
【符号の説明】
【００８０】
１０…天吊り装置、１００…第１ベースプレート、１１２…第１ベースプレートの主面、１２０…第１隆起部、１２２…第１軸孔、１３０…ネジ用長孔、２００…第１中間プレート、２１２…第１中間プレートの主面、２１４…第２隆起部、２１６…円形凹部、２２２…第１起立部、２２４…第１長孔、２２６…第２起立部、２２８…第２長孔、２３２…第１軸受タブ、２３４…第１軸受孔、２３６…第２軸受タブ、２３８…第２軸受孔、２４０…第２軸孔、２５０…ロック用起伏部、２６０…鋸歯、３００…第２中間プレート、３１２…第２中間プレートの主面、３１４…凹部、３２２…第３起立部、３２４…第３長孔、３２６…第４起立部、３２８…第４長孔、３３２…第３軸受タブ、３３４…第３軸受孔、３３６…第４軸受タブ、３３８…第４軸受孔、４００…第２ベースプレート、４１２…第２ベースプレートの主面、４１４…ネジ用丸孔、４２２…第５軸受タブ、４２４…第５軸受孔、４２６…第６軸受タブ、４２８…第６軸受孔、５１２…上部ユニット、５１４…下部ユニット、５２０…第１回転軸部材、５３０…第２回転軸部材、５４０…第３回転軸部材、５２２、５５０…ロックナット、５３２、５４２…軸止めネジ、５５２…第１ロックネジ、５５３…第１ロックネジの基部、５５４…第２ロックネジ、５５５…第２ロックネジの基部、５６０…スリーブ、５７０…ロックレバー、５７２…レバー軸孔、５７４…操作部、５７６…当接部、Ｐ…プロジェクタ天吊り装置
【図１】
2010079155.tif 000003
【図２】
2010079155.tif 000004
【図３】
2010079155.tif 000005
【図４】
2010079155.tif 000006
【図５】
2010079155.tif 000007
【図６】
2010079155.tif 000008
【図７】
2010079155.tif 000009